(57)【要約】    【課題】  撮影者に煩雑な設定作業の負担をかけずに、良好な画質の撮影結果を提供することができる撮像装置及び撮像装置制御用プログラムを提供する。    【解決手段】  撮像装置は、全画像領域中から肌色色相領域に含まれる色相を持つ画像領域を判定する判定部３１１と、該判定部で肌色領域と判定された画像領域とそれ以外の画像領域に対して、それぞれ異なる補正処理を実行する補正部３１２と、該補正部３１２における肌色領域に対する補正処理の有効又は無効を設定する補正動作設定部３１３と、セルフタイマ撮影のためのタイムアウト時間を設定するタイマ設定部３０７と、前記タイムアウト時間のカウントダウンが開始されたときに、前記補正部３１２による前記肌色領域に対する補正処理を有効にするセルフタイマ撮影制御マイコン１０２とを備える。【選択図】      図１
2005333469.tif 000002
【特許請求の範囲】
【請求項１】
全画像領域中から肌色色相領域に含まれる色相を持つ画像領域を判定する判定手段と、該判定手段で肌色領域と判定された画像領域とそれ以外の画像領域に対して、それぞれ異なる補正処理を実行する補正手段と、該補正手段における肌色領域に対する補正処理の有効又は無効を設定する補正動作設定手段と、セルフタイマ撮影のための撮影開始の指示から実際の撮影開始までの時間であるタイムアウト時間を設定するタイマ設定手段と、前記タイムアウト時間のカウントダウンが開始又は設定されたときに、前記補正手段による前記肌色領域に対する補正処理を有効にする制御手段とを備えることを特徴とする撮像装置。
【請求項２】
更に、前記タイマ設定手段によって設定されたタイムアウト時間に応じて、前記肌色領域に対する輪郭強調量の設定を変更する補正量設定手段を備えることを特徴とする請求項１記載の撮像装置。
【請求項３】
前記補正量設定手段は、前記タイマ処理手段に設定されたタイムアウト時間が所定の基準時間よりも短い場合は、前記肌色領域に対する輪郭強調量を所定の基準値よりも小さい値に設定し、前記タイマ処理手段に設定されたタイムアウト時間が所定の基準時間よりも長い場合は、前記肌色領域に対する輪郭強調量を所定の基準値よりも大きい値に設定することを特徴とする請求項２記載の撮像装置。
【請求項４】
前記補正量設定手段が、ユーザからの指示入力に基づいて、前記所定の基準時間、前記所定の基準値及び前記肌色領域に対する輪郭強調量の少なくとも１つの変更することを特徴とする請求項３記載の撮像装置。
【請求項５】
撮像装置で実行される撮像装置制御用プログラムにおいて、
全画像領域中から肌色色相領域に含まれる色相を持つ画像領域を判定する判定モジュールと、該判定モジュールを実行することにより肌色領域と判定された画像領域とそれ以外の画像領域に対して、それぞれ異なる補正処理を実行する補正モジュールと、該肌色領域に対する補正処理の有効又は無効を設定する補正動作設定モジュールと、セルフタイマ撮影のためのタイムアウト時間を設定するタイマ設定モジュールと、前記タイムアウト時間のカウントダウンが開始又は設定されたときに、前記肌色領域に対する補正処理を有効にする制御モジュールとを備えることを特徴とする撮像装置制御用プログラム。
【発明の詳細な説明】
【技術分野】
【０００１】
本発明は、撮像装置及び撮像装置制御用プログラムに関する。
【背景技術】
【０００２】
一般にデジタルカメラ等の撮像装置には、撮影者が任意の時間長をタイマに設定し、その設定時間中に撮影範囲内に移動し、自らが被写体となってタイムアウトと同時に自動撮影を行うセルフタイマ機能が搭載されている。
【０００３】
また、被写体の輪郭部を強調した画像信号を得るために、撮像素子からの画像信号を利用して被写体の輪郭部に相応した輪郭強調信号を生成し、該画像信号に加算する等の輪郭強調機能を搭載している。このような輪郭強調機能は、より解像感が高くメリハリの効いた高画質な画像を得ることを可能にしているが、人間の顔面部分等を被写体とした場合には、人間の肌の領域にも輪郭強調機能が作用し、しわ・しみ・毛穴等が強調されてしまい、必ずしも好ましくない撮影結果をもたらすことがあった。
【０００４】
上記の問題に対し、肌色領域に含まれる画像信号に関しては、輪郭強調処理を無効又はは輪郭部の強調の程度を他の領域より低減するような改良が施された、肌色輪郭補正又はスキンディテールと呼ばれる処理技術が存在する（例えば、特許文献１参照）。
【０００５】
以下、この処理技術について説明する。
【０００６】
図４は、従来の撮像装置としてのデジタルカメラの構成を示すブロック図である。
【０００７】
同図において、３０１はレンズ、３０２は絞り、３０３は撮像素子であるＣＣＤ（Charge Coupled Device）、３０４はサンプル／ホールド回路（Ｓ／Ｈ回路）、３０５はプリプロセス回路、３０６は撮影指示部、３０７はタイマ設定部、３０８はタイマ処理部、３０９は信号処理部、３１０はメモリ、３１１は判定部、３１２は補正部、３１３は補正動作設定部、３１４は撮影画像を確認する表示部、３１５は撮影画像の記録装置、３１６は肌色輪郭補正制御マイコンである。
【０００８】
レンズ３０１より受光した被写体からの光は、絞り３０２により光量を調節されてＣＣＤ３０３面上に結像され、ＣＣＤ３０３により光電変換されて画像信号としてサンプルホールド回路３０４に出力される。
【０００９】
サンプルホールド回路３０４は、この画像信号に対してサンプルホールド処理し、プリプロセス回路３０５に出力する。プリプロセス回路３０５は、サンプルホールド処理が実行された画像信号に対して、ＡＧＣ処理、ブラックバランス処理、ホワイトバランス処理、ガンマ補正処理等を実行し、信号処理部３０９に出力する。
【００１０】
信号処理部３０９は、プリプロセス回路３０５より出力された画像信号に対して撮影者の所望する加工・補正等の処理を実行し、その処理の間に必要に応じて画像信号をメモリ３１０に保持する。
【００１１】
タイマ設定部３０７は、撮影者が撮影位置までの移動距離等に応じて所望する任意の設定時間長を取得し、タイマ処理部３０８に対してタイムアウト時間を設定する。
【００１２】
タイマ処理部３０８は、撮影指示部３０６からの撮影指示と同時に計時を開始し、タイムアウト時間の経過と同時に撮影動作の実行を信号処理部３０９に指示する。撮影指示部３０６は、装置外部に設けられたスイッチやコントローラから撮影者のセルフタイマ撮影開始指示を受け取る。
【００１３】
タイマ処理部３０８からの撮影動作の実行指示を受けた信号処理部３０９は、画像信号を判定部３１１に出力し、判定部３１１は予め定められた肌色色相領域（図５のＣ領域）に含まれる色相を持つ画像領域を検出し、この検出結果に基づいて肌色領域信号を生成し、画像信号と共に補正部３１２に出力する。
【００１４】
補正動作設定部３１３は、撮影者の希望に応じて設定された補正部３１２における肌色輪郭補正を有効にするか無効にするかの動作設定を取得し、肌色輪郭補正制御マイコン３１６を通じて補正部３１２に対して肌色輪郭補正の有効／無効を設定する。
【００１５】
補正部３１２は、肌色輪郭補正制御マイコン３１６により肌色輪郭補正が有効と設定された場合は、判定部３１１から供給された肌色領域信号に基づいて肌色領域に対して肌色輪郭補正処理を実行し、その他の領域に対しては輪郭強調処理を実行して、その結果得られた画像信号を表示部３１４及び記録装置３１５に出力する。
【００１６】
肌色輪郭補正制御マイコン３１６により肌色輪郭補正が無効と設定された場合は、補正部３１２は、入力された画像信号全域に輪郭強調処理を実施し、その結果得られた画像信号を表示部３１４および記録装置３１５に出力する。
【００１７】
図５はセルフタイマ撮影実施時のタイムアウト時間を設定するユーザーインターフェースの一例を示す図であり、図６は肌色輪郭補正処理の有効／無効を設定するユーザーインターフェースの一例を示す図である。
【００１８】
図５、６に示すユーザーインターフェースは撮像装置外部に設けられており、選択カーソル７０、メニュー呼出キー７１、決定キー７２、選択キー７３、及び液晶パネル７４を備えている。図５では、液晶パネル７４にセルフタイマ撮影実施時のタイムアウト時間を設定するメニューが表示され、図６では、液晶パネル７４に肌色輪郭補正処理の有効／無効を設定するメニューが表示される。
【００１９】
以下、従来のデジタルカメラにおけるセルフタイマ撮影で実行される一連の処理を図７に示すフローチャートを用いて説明する。
【００２０】
まず、撮影者が、図６に示すような肌色輪郭補正処理の設定メニューをメニュー呼出キー７１を操作することにより液晶パネル７４に表示させ、現在の設定内容を確認し、所望する肌色輪郭補正の処理を選択キー７３を操作することにより選択し、決定キー７２を押下することにより設定する。補正動作設定部３１３は、ここで設定された処理設定を取得する（ステップＳ１）。
【００２１】
次に、撮影者が、図５に示すようなセルフタイマ撮影実施時のタイムアウト時間設定メニューをメニュー呼出キー７１を操作することにより液晶パネル７４に表示させ、現在の設定内容を確認し、所望のタイムアウト時間を選択キー７３を操作することにより選択し、決定キー７２を押下することにより設定する。タイマ設定部３０７は、ここで設定されたタイムアウト時間を取得し、タイマ処理部３０８に設定する（ステップＳ２）。
【００２２】
次いで、撮影者は、デジタルカメラの外部に設けられたスイッチやコントローラ（不図示）を操作し、セルフタイマ撮影開始指示を行う。撮影指示部３０６は、このセルフタイマ撮影開始指示を取得し、タイマ処理部３０８に計時開始を指示する（ステップＳ３）。
【００２３】
タイマ処理部３０８は、タイムアウト時間の経過と同時に信号処理部３０９に撮影動作の実行を指示し、信号処理部３０９は撮影動作の実行指示を受けて信号処理後の画像信号を判定部３１１に出力する。判定部３１１は、全画像領域中の肌色色相領域（図８のＣ領域）に含まれる色相を持つ画像領域を検出し、該検出結果に基づいて肌色領域信号を生成し、画像信号とともに補正部３１２に出力する。尚、図８は肌色色相領域を示す図であり、同図において、縦軸は色差信号のＲ−Ｙ、横軸は色差信号のＢ−Ｙであり、領域Ｃは肌色色相領域を示す。
【００２４】
肌色輪郭補正制御マイコン３１６は、ステップＳ１において補正動作設定部３１３が取得した肌色輪郭補正の処理設定を参照し、これに基づいて補正部３１２に対して肌色輪郭補正の処理設定を実行する（ステップＳ４）。尚、ステップＳ４は、肌色輪郭補正の処理が実行されるまでに要求される撮影処理を示す。
【００２５】
次に、補正部３１２は、肌色輪郭補正制御マイコン３１６により設定された肌色輪郭補正の処理設定が有効であるか否か判別する（ステップＳ５）。
【００２６】
肌色輪郭補正の処理設定が有効であると判断された場合は、補正部３１２は、ステップＳ４において生成された肌色領域信号に基づいて肌色領域には肌色輪郭補正を実行し、その他の領域には輪郭強調処理を実行する一方、肌色輪郭補正の処理設定が無効であると判断された場合は、画像領域全域に輪郭強調処理を実行して画像信号を表示部３１４及び記録装置３１５に出力し（ステップＳ６）、本処理を終了する。
【００２７】
以上のようにして、セルフタイマ撮影機能を実現し、また肌色色相領域（図８のＣ領域）に含まれる色相を持つ画像領域に対しては肌色輪郭補正処理を実行し、その他の画像領域に対しては輪郭強調処理を実行して、被写体に応じて適正に輪郭強調された画像を取得している。
【００２８】
従って、例えば、人物を被写体としてセルフタイマ撮影を実行する場合には、撮影者が予めセルフタイマ撮影実施時のタイムアウト時間の設定メニューや肌色輪郭補正処理の有効／無効の設定メニュー等を液晶パネル７４に表示させ、これらの設定を適切なものにする必要がある。
【特許文献１】特開２００３−１８４５１号公報
【発明の開示】
【発明が解決しようとする課題】
【００２９】
しかしながら、従来の撮像装置としてのデジタルカメラにおいては撮影者がセルフタイマ撮影機能による撮影を実行する度にメニュー画面を開き、肌色輪郭補正の設定が有効であるか否かの確認し、必要に応じて当該設定を変更する必要があり、多くのキー操作を伴う煩雑な設定作業を行わなければならなかった。また、セルフタイマ撮影機能による撮影を実行するときに、撮影者が肌色輪郭補正処理の設定を有効にすることを忘れしまう（即ち、肌色輪郭補正処理の設定は無効である）と、上述したように、被写体の顔のしわ・しみ・毛穴等が強調されてしまい、好ましくない撮影結果をもたらすことがあった。
【００３０】
本発明は、かかる問題点に鑑みてなされたものであって、撮影者に煩雑な設定作業の負担をかけずに、良好な画質の撮影結果を提供することができる撮像装置及び撮像装置制御用プログラムを提供することを目的とする。
【課題を解決するための手段】
【００３１】
上記目的を達成するために、請求項１記載の発明は、全画像領域中から肌色色相領域に含まれる色相を持つ画像領域を判定する判定手段と、該判定手段で肌色領域と判定された画像領域とそれ以外の画像領域に対して、それぞれ異なる補正処理を実行する補正手段と、該補正手段における肌色領域に対する補正処理の有効又は無効を設定する補正動作設定手段と、セルフタイマ撮影のための撮影開始の指示から実際の撮影開始までの時間であるタイムアウト時間を設定するタイマ設定手段と、前記タイムアウト時間のカウントダウンが開始又は設定されたときに、前記補正手段による前記肌色領域に対する補正処理を有効にする制御手段とを備えることを特徴とする。
【００３２】
請求項５の発明は、撮像装置で実行される撮像装置制御用プログラムにおいて、全画像領域中から肌色色相領域に含まれる色相を持つ画像領域を判定する判定モジュールと、該判定モジュールを実行することにより肌色領域と判定された画像領域とそれ以外の画像領域に対して、それぞれ異なる補正処理を実行する補正モジュールと、該肌色領域に対する補正処理の有効又は無効を設定する補正動作設定モジュールと、セルフタイマ撮影のためのタイムアウト時間を設定するタイマ設定モジュールと、前記タイムアウト時間のカウントダウンが開始又は設定されたときに、前記肌色領域に対する補正処理を有効にする制御モジュールとを備えることを特徴とする。
【発明の効果】
【００３３】
本発明によれば、セルフタイマ撮影実施時に肌色領域に対する補正処理が無効に設定されている場合でも、セルフタイマ撮影のための撮影開始の指示から実際の撮影開始までの時間であるタイムアウト時間のカウントダウンが開始又は設定されたときに、補正手段による肌色領域に対する補正処理が有効にされるので、撮影者に煩雑な設定作業の負担をかけずに、良好な画質の撮影結果を提供することができる。
【発明を実施するための最良の形態】
【００３４】
以下、本発明の実施形態を図面を参照しつつ詳細に説明する。
【００３５】
図１は、本発明の実施の形態に係る撮像装置を示すブロック図である。本発明の実施の形態に係る撮像装置は、デジタルカメラであるとする。
【００３６】
同図において、デジタルカメラは、レンズ３０１、絞り３０２、撮像素子であるＣＣＤ（Charge Coupled Device）３０３、サンプル／ホールド回路（Ｓ／Ｈ回路）３０４、プリプロセス回路３０５、撮影指示部３０６、タイマ設定部３０７、タイマ処理部３０８、信号処理部３０９、メモリ３１０、判定部３１１、補正部３１２、補正動作設定部３１３、撮影画像を確認する表示部３１４、及び撮影画像の記録装置３１５を備えている。
【００３７】
デジタルカメラは、さらに、補正部３１２における肌色領域への輪郭補正量を制御する補正量設定部１０１と、セルフタイマ撮影制御マイコン１０２とを備えている。
【００３８】
レンズ３０１より受光した被写体からの光は、絞り３０２により光量を調節されてＣＣＤ３０３面上に結像され、ＣＣＤ３０３により光電変換されて画像信号としてサンプルホールド回路３０４に出力される。
【００３９】
サンプルホールド回路３０４は、この画像信号に対してサンプルホールド処理し、プリプロセス回路３０５に出力する。プリプロセス回路３０５は、サンプルホールド処理が実行された画像信号に対して、ＡＧＣ処理、ブラックバランス処理、ホワイトバランス処理、ガンマ補正処理等を実行し、信号処理部３０９に出力する。
【００４０】
信号処理部３０９は、プリプロセス回路３０５より出力された画像信号に対して撮影者の所望する加工・補正等の処理を実行し、その処理の間に必要に応じて画像信号をメモリ３１０に保持する。
【００４１】
タイマ設定部３０７は、撮影者が撮影位置までの移動距離等に応じて所望する任意の設定時間長を取得し、該設定時間長をセルフタイマ制御マイコン１０２に送信する。
【００４２】
セルフタイマ制御マイコン１０２はタイマ設定部３０７から取得したタイムアウト時間をタイマ処理部３０８に設定し、同時に計時の開始を指示する。また、セルフタイマ制御マイコン１０２は補正部３１２の肌色領域に対する輪郭強調量を補正量設定部１０１から受信する。
【００４３】
タイマ処理部３０８は、セルフタイマ制御マイコン１０２からの計時開始指示を受けて、計時を開始し、タイムアウト時間の経過と同時に撮影動作の実行を信号処理部３０９に指示する。撮影指示部３０６は、装置外部に設けられたスイッチやコントローラから撮影者のセルフタイマ撮影開始指示を取得し、セルフタイマ制御マイコン１０２に撮影開始を指示する。
【００４４】
タイマ処理部３０８からの撮影動作の実行指示を受けた信号処理部３０９は、画像信号を判定部３１１に出力し、判定部３１１は予め定められた肌色色相領域（図８のＣ領域）に含まれる色相を持つ画像領域を検出し、この検出結果に基づいて肌色領域信号を生成し、画像信号と共に補正部３１２に出力する。
【００４５】
補正動作設定部３１３は、撮影者の希望に応じて設定された補正部３１２における肌色輪郭補正を有効にするか無効にするかの動作設定を取得し、セルフタイマ制御マイコン１０２を介して補正部３１２に対して肌色輪郭補正の有効／無効を設定する。
【００４６】
補正部３１２は、肌色輪郭補正が有効と設定された場合は、補正量設定部１０１に設定されている輪郭強調量に基づいて、判定部３１１から供給された肌色領域信号の肌色領域に対して肌色輪郭補正処理を実行し、その他の領域に対しては輪郭強調処理を実行して、その結果得られた画像信号を表示部３１４及び記録装置３１５に出力する。
【００４７】
補正部３１２は、肌色輪郭補正が無効と設定された場合は、入力された画像信号全域に輪郭強調処理を実施し、その結果得られた画像信号を表示部３１４および記録装置３１５に出力する。
【００４８】
以下、デジタルカメラにおけるセルフタイマ撮影で実行される一連の処理を図２に示すフローチャートを用いて説明する。
【００４９】
撮影者は、例えば、図５に示すようなセルフタイマ撮影実施時のタイムアウト時間設定メニューをメニュー呼び出しキー７１を操作することにより液晶パネル７４に表示させ、現在の設定内容を確認し、所望するタイムアウト時間を選択キー７３を操作することにより選択し、決定キー７２を押下することにより設定する。タイマ設定部３０７は、ここで設定されたタイムアウト時間を取得する（ステップＳ２１）。
【００５０】
撮影者はデジタルカメラの外部に設けられたスイッチやコントローラを操作し、セルフタイマ撮影開始指示を行う。撮影指示部３０６は、このセルフタイマ撮影開始指示を取得し、セルフタイマ制御マイコン１０２に撮影開始を指示する（ステップＳ２２）。
【００５１】
撮影指示部３０６からの撮影開始指示を取得したセルフタイマ制御マイコン１０２は、補正動作設定部３１３から補正部３１２における肌色輪郭補正の動作設定の取得を行い、補正部３１２における肌色輪郭補正が有効に設定されているか否かを判別する（ステップＳ２３）。
【００５２】
セルフタイマ制御マイコン１０２は、ステップＳ２３で実施した判別結果を取得し、補正部３１２における肌色輪郭補正が無効に設定されている場合は、補正部３１２における肌色輪郭補正を有効とするように補正動作設定部３１３の設定を変更し、同時に動作変更フラグをセットする（ステップＳ２４）。
【００５３】
次いで、セルフタイマ制御マイコン１０２はステップＳ２１においてタイマ設定部３０７が取得したタイムアウト時間を参照し、時間長による分岐判定を行う（ステップＳ２５）。ここで、時間長による分岐判定とは、図３のテーブル内のタイムアウト時間に応じて、予測される被写体と撮像装置との距離及び肌色領域に対する輪郭強調量のフィールドを選択することである。
【００５４】
セルフタイマ制御マイコン１０２はステップＳ２５で実施した判定結果に基づいて、補正部３１２の肌色領域に対する輪郭強調量を補正量設定部１０１に設定する。
【００５５】
図３のテーブルに基づき、タイムアウト時間が短い場合（短時間モード；具体的には１０秒）は、被写体と撮像装置との距離が近い（例えば５ｍ未満）と予測され、肌色輪郭補正の効果を大きく適用するために肌色領域に対する輪郭強調量を後述する中間値よりも小さく設定する（ステップＳ２６）。タイムアウト時間が普通の場合（通常モード；具体的には２０秒）は、被写体と撮像装置との距離が中間距離（例えば５ｍ以上５０ｍ未満）と予測され、肌色領域に対する輪郭強調量を中間値に設定する（ステップＳ２７）。
【００５６】
また、タイムアウト時間が長い場合（長時間モード；具体的には３０秒）は、被写体と撮像装置との距離が遠い（例えば５０ｍ以上）と予測され、肌色輪郭補正の効果により被写体の微細な画像情報がつぶれたように撮影され画像品位が低下するおそれがあるため、肌色輪郭補正の効果を小さく適用するために肌色領域に対する輪郭強調量を上記中間値よりも大きく設定する（ステップＳ２８）。
【００５７】
尚、上記タイムアウト時間が普通の場合（通常モード；具体的には２０秒）が、基準時間となり、上記中間値は、肌色領域に対する輪郭強調量の基準値となる。これらの基準時間や肌色領域に対する輪郭強調量の基準値は、予め補正量設定部１０１に設定されているが、ユーザが装置外部に設けられたスイッチやコントローラを使用して、これらの基準時間や肌色領域に対する輪郭強調量の基準値をユーザの所望の値に変更する指示を入力し、セルフタイマ制御マイコン１０２がこの入力指示を受けて、補正量設定部１０１に設定されたこれらの基準時間や肌色領域に対する輪郭強調量の基準値の設定をユーザの所望の値に変更するように補正量設定部１０１を制御するようにしてもよい。また、短時間モード及び長時間モードの肌色領域に対する輪郭強調量についても、上記同様な方法で、ユーザの所望の値に変更できるようにしてもよい。これらにより、ユーザはより自分の意図した画像を取得できるようになる。
【００５８】
輪郭強調量の設定完了後、セルフタイマ制御マイコン１０２はタイマ設定部３０７から取得したタイムアウト時間をタイマ処理部３０８に設定し、同時に計時の開始を指示する、即ち、タイムアウト時間のカウントダウンを指示する。
【００５９】
次いで、タイマ処理部３０８はタイムアウト時間の経過（即ち、カウントダウン）と同時に信号処理部３０９に撮影動作の実行を指示し、信号処理部３０９は撮影動作の実行指示を受けて画像信号を判定部３１１に出力する。判定部３１１は全画像領域中の肌色色相領域（図８のＣ領域）に含まれる色相を持つ画像領域を検出し、検出結果に基づいて肌色領域信号を生成し、画像信号とともに補正部３１２に出力する。補正部３１２は、セルフタイマ制御マイコン１０２により補正量設定部１０１に設定された肌色領域に対する輪郭強調量を参照し、この輪郭強調量に基づいて肌色領域信号の肌色領域に肌色輪郭補正処理を実施し、その他の領域には所定の輪郭強調処理を実施して、画像信号を表示部３１４及び記録装置３１５に出力する（ステップＳ２９）。
【００６０】
セルフタイマ制御マイコン１０２は、この画像信号の出力完了と同時にステップＳ２４において動作変更フラグが設定されたか否かの判定を行う（ステップＳ３０）。
【００６１】
セルフタイマ制御マイコン１０２は、ステップＳ３０における判定結果を取得し、動作変更フラグがセットされていた場合は、補正部３１２における肌色輪郭補正を無効とするよう補正動作設定部３１３の設定を変更し、同時に動作変更フラグをクリアし（ステップＳ３１）、本処理を終了する。
【００６２】
以上説明したように、本実施の形態によれば、全画像領域中から肌色色相領域に含まれる色相を持つ画像領域が判定され、この肌色領域と判定された画像領域に対する補正処理の有効又は無効が設定され、セルフタイマ撮影のためのタイムアウト時間のカウントダウンが開始又は設定されたときには、前記肌色領域に対する補正処理が常に有効にされるので、撮影者がセルフタイマ撮影機能による撮影を実行する度にメニュー画面を開き、肌色輪郭補正の設定が有効であるか否かの確認をする必要がなくなり、撮影者に煩雑な設定作業の負担をかけないという効果を奏する。
【００６３】
また、セルフタイマ撮影機能による撮影を実行するときに、撮影者が肌色輪郭補正処理の設定を有効にすることを忘れしまった場合にも、セルフタイマ撮影のためのタイムアウト時間のカウントダウンが開始されたときには、前記肌色領域に対する補正処理が常に有効にされるので、良好な画質の撮影結果を撮影者に提供することができる。
【００６４】
また、補正量設定部１０１に設定されたタイムアウト時間に応じて、前記肌色領域に対する輪郭強調量の設定が変更されるので、より良好な画質の撮影結果を撮影者に提供することができる。
【００６５】
さらに、補正量設定部１０１に設定されたタイムアウト時間が所定の基準時間よりも短い場合は、肌色領域に対する輪郭強調量が所定の基準値よりも小さい値に設定され、補正量設定部１０１に設定されたタイムアウト時間が所定の基準時間よりも長い場合は、肌色領域に対する輪郭強調量が所定の基準値よりも大きい値に設定されるので、画像品位の低下を低減することができる。
【００６６】
また、セルフタイマ撮影時に設定されるタイムアウト時間から予測される被写体と撮像装置との距離に応じて輪郭強調の効果を増減させた肌色輪郭補正が実施されるので、近距離の被写体に対しては肌色輪郭補正の効果を大きく適用して、好ましくない画像情報を補正し、遠距離の被写体に対しては肌色輪郭補正の効果を小さく適用して、微細な画像情報のつぶれを防止して、常に良好な撮影画像を記録することができる。
【００６７】
また、上記実施の形態においては、実際に撮影の開始が指示され、セルフタイマのカウントダウンが開始されたときに補正部における肌色輪郭補正を有効としたが、ユーザがこれからセルフタイマによる撮影を開始することが予測されるタイムアウト時間の設定の動作に伴って、自動的に補正部における肌色輪郭補正を有効としても上述と同等の効果が得られる。
【００６８】
また、タイムアウト時間の設定は、セルフタイマ撮影の指示を兼ねても良い。すなわち、図５で示されるタイマアウト時間の設定メニューに「０秒」もしくは「切」といったメニューを設けておけば、ユーザがこれを選択したときにはセルフタイマ撮影が行なわれないことになる。
【００６９】
上記実施の形態に係る撮像装置は、デジタルカメラであるとしたが、本発明は、カメラ一体型ＶＴＲ、カメラ付き携帯電話、カメラ付きＰＨＳ、カメラ付きＰＤＡ（Personal Digital Assistant）、カメラ付きコンピュータ等にも適用でき、カメラは、これらの装置や端末に内蔵されていても、別途外付けするものでもよい。また、カメラと装置や端末との間の接続は、有線（ＵＳＢ規格用のケーブルやＩＥＥＥ１３９４規格用のケーブルによる接続等）でも、無線（Bluetooth規格での接続等。Bluetoothでの接続はカメラと装置や端末の双方がBluetooth通信用のハードウエアを備えている）でもよい。
【００７０】
これらの装置や端末は、プログラムをインストールすることによって、セルフタイマ機能を実現するものであってもよい。尚、プログラムのインストールは、インターネットのサーバから当該プログラムを上記装置や端末にダウンロードしたり、フロッピー（登録商標）やＣＤ−ＲＯＭ等の記録媒体に格納された当該プログラムを上記装置や端末に読み込むことにより実現される。
【００７１】
また、本発明の目的は、上記実施の形態の機能を実現するソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００７２】
この場合、記憶媒体から読み出されたプログラムコード自体が前述した実施の形態の機能を実現することになり、そのプログラムコードを記憶した記憶媒体は本発明を構成することになる。
【００７３】
また、コンピュータが読み出したプログラムコードを実行することにより、前述した実施の形態の機能が実現されるだけでなく、そのプログラムコードの指示に基づき、コンピュータ上で稼働しているオペレーティングシステム(ＯＳ)などが実際の処理の一部または全部を行い、その処理によって前述した実施の形態の機能が実現される場合も含まれることは言うまでもない。
【００７４】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００７５】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００７６】
【図１】本発明の実施の形態に係る撮像装置を示すブロック図である。
【図２】図１のデジタルカメラにおけるセルフタイマ撮影で実行される一連の処理を示すフローチャートである。
【図３】タイムアウト時間に対する、被写体とデジタルカメラとの予測距離及び肌色領域に対する輪郭強調量の関係を示す図である。
【図４】従来の撮像装置としてのデジタルカメラの構成を示すブロック図である。
【図５】セルフタイマ撮影実施時のタイムアウト時間を設定するユーザーインターフェースの一例を示す図である。
【図６】肌色輪郭補正処理の有効／無効を設定するユーザーインターフェースの一例を示す図である。
【図７】従来のデジタルカメラにおけるセルフタイマ撮影で実行される一連の処理を示すフローチャートである。
【図８】肌色色相領域を示す図であり、縦軸は色差信号のＲ−Ｙ、横軸は色差信号のＢ−Ｙであり、領域Ｃは肌色色相領域を示す。
【符号の説明】
【００７７】
１０１  補正量設定部
１０２  セルフタイマ撮影制御マイコン
３０１  レンズ
３０２  絞り
３０３  ＣＣＤ（撮像素子）
３０４  サンプルホールド回路
３０５  プリプロセス回路
３０６  撮影指示部
３０７  タイマ設定部
３０８  タイマ処理部
３０９  信号処理部
３１０  メモリ
３１１  判定部
３１２  補正部
３１３  補正動作設定部
３１４  表示部
３１５  記録装置
【図１】
2005333469.tif 000003
【図２】
2005333469.tif 000004
【図３】
2005333469.tif 000005
【図４】
2005333469.tif 000006
【図５】
2005333469.tif 000007
【図６】
2005333469.tif 000008
【図７】
2005333469.tif 000009
【図８】
2005333469.tif 000010